(57)【要約】【課題】この発明は、通常図書についてフリーロケーション方式による保管管理を主として採用する中で、それ以外の特殊な図書に対してもそれらに適した保管管理を適宜選択することができる閉架書庫管理を可能とした図書保管管理装置を提供することを目的としている。【解決手段】コンテナ１２の識別情報と、コンテナ１２の書庫内での収容位置情報と、コンテナ１２を図書３２の管理形態に応じた複数のグループに分類するグループ識別情報と、コンテナ１２内の図書３２の識別情報とを対応させて記憶し、入庫する図書３２のグループ識別情報を指定することにより、そのグループ識別情報の付されたコンテナ１２の中で空きスペースのあるコンテナ１２を書庫から取り出してステーション２０，２２に移送するとともに、その図書３２が入庫されたコンテナ１２に対する記憶内容を更新する。【選択図】    図１
2006290622.tif 000002
【特許請求の範囲】
【請求項１】
複数の棚領域を有する書庫と、
前記書庫の各棚領域に格納されるもので、それぞれが複数の図書を収容する複数のコンテナと、
前記コンテナを識別する識別情報と、前記コンテナの前記書庫内における収容位置を示す情報と、前記コンテナを図書の管理形態に応じた複数のグループに分類するグループ識別情報と、前記コンテナに収容された図書を識別する識別情報とを対応させて記憶する記憶手段と、
入庫する図書のグループ識別情報を指定することにより、そのグループ識別情報の付されたコンテナの中で空きスペースのあるコンテナを前記書庫から取り出してステーションに移送するとともに、その図書が入庫されたコンテナに対する前記記憶手段の記憶内容を更新する制御手段とを具備してなることを特徴とする図書保管管理装置。
【請求項２】
前記複数のグループは、前記コンテナとそこに収容される図書との対応関係をフリーロケーションとする管理形態を含むことを特徴とする請求項１記載の図書保管管理装置。
【請求項３】
前記複数のグループは、前記コンテナとそこに収容される図書との対応関係を固定化する管理形態を含むことを特徴とする請求項１または２記載の図書保管管理装置。
【請求項４】
前記複数のグループは、前記コンテナに収容される図書をサイズ別に分類する管理形態を含むことを特徴とする請求項１乃至３いずれかに記載の図書保管管理装置。
【請求項５】
前記複数のグループは、前記コンテナに収容される図書を形状別に分類する管理形態を含むことを特徴とする請求項１乃至４いずれかに記載の図書保管管理装置。
【請求項６】
前記複数のグループは、前記コンテナとそこに収容される図書との対応関係をフリーロケーションとする管理形態、前記コンテナとそこに収容される図書との対応関係を固定化する管理形態、前記コンテナに収容される図書をサイズ別に分類する管理形態または前記コンテナに収容される図書を形状別に分類する管理形態を一時的に解除し、各管理形態で管理されていた図書を集約して前記コンテナに収容する管理形態を含むことを特徴とする請求項１乃至５いずれかに記載の図書保管管理装置。
【請求項７】
前記複数のグループは、前記コンテナとそのコンテナの前記書庫内における収容位置とそのコンテナの属するグループとを固定化し、そのグループに属するコンテナの入出庫処理を専用のステーションで行なう管理形態を含むことを特徴とする請求項１乃至６いずれかに記載の図書保管管理装置。
【請求項８】
前記書庫は、前記図書のサイズ別に分類された複数の棚領域を有することを特徴とする請求項４記載の図書保管管理装置。
【請求項９】
前記制御手段は、入庫する図書の量を指定することにより、指定されたグループ識別情報の付されたコンテナの中で、指定された図書の量に見合う空きスペースのあるコンテナを前記書庫から取り出してステーションに移送することを特徴とする請求項１乃至８いずれかに記載の図書保管管理装置。
【請求項１０】
前記制御手段は、前記コンテナとそこに収容される図書との対応関係を固定化する管理形態の場合、前記コンテナに対する図書の入庫時に、そのコンテナ内の空きスペースを予約して確保することが可能であることを特徴とする請求項１または３記載の図書保管管理装置。
【請求項１１】
前記制御手段は、前記図書に対して、前記コンテナとそこに収容される図書との対応関係をフリーロケーションとする管理形態のグループから、他の管理形態のグループへの移行を可能とすることを特徴とする請求項１記載の図書保管管理装置。
【請求項１２】
前記制御手段は、前記図書に対して、前記コンテナとそこに収容される図書との対応関係を固定化する管理形態のグループから、前記コンテナとそこに収容される図書との対応関係をフリーロケーションとする管理形態のグループへの移行を禁止することを特徴とする請求項１または１１記載の図書保管管理装置。
【請求項１３】
前記記憶手段は、前記制御手段が前記図書の入庫要求に基づいて空のコンテナを前記ステーションに取り出した場合、そのコンテナに対して、入庫した図書の属するグループに対応するグループ識別情報を対応付けることを特徴とする請求項１記載の図書保管管理装置。
【請求項１４】
前記記憶手段は、前記ステーションに取り出されたコンテナから図書が全て取り出されて空になった場合、そのコンテナに対するグループ分類を解除することを特徴とする請求項１または１３記載の図書保管管理装置。
【請求項１５】
複数の棚領域を有する書庫と、
それぞれに図書を識別する識別情報を記録した複数種類の媒体が付加された図書識別情報を有する複数の図書と、
前記書庫の各棚領域に格納されるもので、それぞれが前記複数の図書を収容する複数のコンテナと、
前記コンテナを識別する識別情報と、前記コンテナの前記書庫内における収容位置を示す情報と、前記コンテナを図書の管理形態に応じた複数のグループに分類するグループ識別情報と、前記コンテナに収容された図書を識別する識別情報と、前記図書をどの種類の媒体に記録された図書識別情報で管理するかを示す図書管理識別情報とを対応させて記憶する記憶手段と、
入庫する図書のグループ識別情報と図書管理識別情報とを指定することにより、指定された図書管理識別情報で管理されているグループ識別情報の付されたコンテナの中で空きスペースのあるコンテナを前記書庫から取り出してステーションに移送するとともに、その図書が入庫されたコンテナに対する前記記憶手段の記憶内容を更新する制御手段とを具備してなることを特徴とする図書保管管理装置。
【請求項１６】
前記図書に付加される複数種類の媒体は、バーコードラベルとＩＣタグとキャラクタコードラベルとのいずれかを含むことを特徴とする請求項１５記載の図書保管管理装置。
【請求項１７】
前記図書管理識別情報で示される媒体の種類別に専用のステーションが設けられることを特徴とする請求項１５または１６記載の図書保管管理装置。
【請求項１８】
前記図書管理識別情報で示される媒体の種類と異なる図書をコンテナに収容しようとした場合、収容できない旨の通知を行なう手段を有することを特徴とする請求項１５乃至１７いずれかに記載の図書保管管理装置。
【発明の詳細な説明】
【技術分野】
【０００１】
この発明は、例えば多量の図書を保管する大型図書館等に使用して好適する図書保管管理装置の改良に関する。
【背景技術】
【０００２】
周知のように、近時、多量の蔵書を有する大規模図書館等にあっては、書庫からの図書の取り出しや書庫への図書の返却に要する作業の能率向上を図るために、自動入出庫システムが導入されてきている。
【０００３】
この自動入出庫システムは、利用者が貸し出しを要求した図書を書庫から取り出して利用者カウンターまで搬送するとともに、その図書が貸し出されたことを記録する作業や、図書が返却されたことを記録し、その図書を書庫まで戻して収容位置を記録する作業等を自動化して、図書の取り出し及び返却に要する作業を正確かつ迅速に実行することができるようにしたものである。
【０００４】
すなわち、自動入出庫システムにおいては、書庫に保管されている多量の図書の管理を容易にするために、各図書それぞれにバーコードを付している。また、各図書は、複数冊毎にコンテナに収容されており、書庫に対してコンテナ単位で入出庫されるようになされている。
【０００５】
そして、図書の取り出しが要求された場合には、その図書の収容されたコンテナが書庫から自動出庫され利用者カウンターまで搬送される。図書館員は、利用者カウンターに搬送されてきたコンテナの中から所望の図書を取り出して利用者に渡し、ここに、図書の貸し出しが行なわれる。
【０００６】
また、図書の返却が要求された場合には、その返却図書を収容すべきコンテナが書庫から自動出庫され利用者カウンターに取り出される。図書館員は、利用者カウンターに取り出されたコンテナに返却された図書を入れた後、そのコンテナを書庫の元の位置に入庫させ、ここに、図書の返却が行なわれる。
【０００７】
ところで、現在では、多量の図書をそれらの内容には無関係にサイズ（例えばＡ４版，Ｂ５版，Ａ５版，B６版等で、厚さは不問）のみによって分類し、同一コンテナには同一サイズの図書のみを収容するようにして、各サイズの図書が収容されたそれぞれのコンテナを、書庫の異なる棚領域に格納する新規な保管管理システムが開発されている（特許文献１）。
【０００８】
この保管管理システムによれば、書庫の各棚領域では、それぞれに収容される図書のサイズに応じて、その図書を効率的に収容することができるように、高さや奥行きを設定することができ、図書の収容効率を効果的に向上させることができるようになる。
【０００９】
そして、上記のような新規な保管管理システムでは、複数のコンテナの書庫内における収容位置と、各コンテナに収容された複数の図書の各図書コードとを対応させて記憶しておき、図書の取り出しまたは返却が行なわれる毎にその記憶内容を更新する、いわゆるフリーロケーション方式が採用されている。
【００１０】
このフリーロケーション方式によれば、同一サイズの図書ならばそのサイズの図書を収容するためのコンテナ内に空きのある限り任意に収容することができるので、書庫と利用者カウンターとの相互間でコンテナを搬送するための搬送機構の稼動回数を少なくすることができ、自動化による図書の取り出し及び返却作業の能率を効果的に向上させることができる。
【００１１】
以上のように、フリーロケーション方式による保管管理は、図書の入出庫の作業能率を向上させる上で大きな効果をもたらしている。しかしながら、例えば新聞・雑誌のバックナンバー及び全集図書等のように、タイトルの同一性や相互の連続性を有する図書や資料等については、一括りにして同じコンテナに収容しておくほうが取り出し及び返却の作業効率を向上させることができる。このため、これらの図書や資料等については、取り出しても常に同じコンテナに固定的に返却する、いわゆる固定ロケーション方式での保管管理形態が適していることになる。
【００１２】
また、電子式情報記録媒体であるＣＤ（compact disk），ＤＶＤ（digital versatile disk）等の光ディスクや、ＶＴＲ（video tape recorder）のテープカセット等は、規格化された独自のサイズを有するとともに、その機械的強度、塵埃、傷付き等の観点から、図書と混在させて保管するのは好ましくないものである。つまり、光ディスクやテープカセット等は、図書と混在しない保管管理形態を採用することにより、良好な品質保持を図ることができ、また、タイトル視認性の良化により、取り出し及び返却の作業効率の向上を図ることができる。
【００１３】
さらに、現在の図書館では、貸し出し要求が集中する図書を予約する利用者が増加する傾向にある。この場合、予約を受け付けてから、その図書の別保管、または、貸し出し中のときはその図書の待ち受け保管を行ない、利用者に準備完了の連絡をしてから来館するまで、予約図書の滞留日数はかなり長くその保管場所に苦慮している。この解決策としては、予約図書を、開架図書も含めて閉架書庫に一時保管することが求められている。
【００１４】
そして、予約利用者に拘束された図書は、通常図書とは隔絶した現物管理、情報管理が求められる。すなわち、予約後の他者への貸し出しの禁止措置や、通常の保管場所から移行しての集約管理等が求められることになる。これらの要求の実現には、閉架書庫管理とは別個の保管管理形態が求められることになる。
【００１５】
すなわち、通常図書はフリーロケーション方式で保管管理し、タイトルの同一性や相互の連続性を有する図書や資料等（以下、固定図書という）は固定ロケーション方式で保管管理し、光ディスクやテープカセット等（以下、特定図書という）及び予約図書のように通常図書とは貸し出し管理の異なる図書は、通常図書と混在しないようにコンテナを区分して保管管理する必要がある。
【００１６】
また、特定図書や予約図書の返却に際しては、取り出し時と同じ区分のコンテナに収容するという限定的な運用を採用しながらも、大部分を占めるその他の図書の取り出し及び返却に要する作業の能率を低下させることのない保管管理が必要となる。
【００１７】
特許文献２には、各物品を固定ロケーション用の物品とフリーロケーション用の物品とに分別して、その分別情報を各物品の識別情報に対応付けて管理することにより、フリーロケーション用の物品は、複数の容器の中から物品を収納する空きスペースのある容器を選択して収容するようにした構成が開示されている。
【００１８】
特許文献３には、新規に図書を書庫に保管する際、複数のサイズを有するコンテナの中から最適な収容効率を得られるサイズのコンテナを取り出して収容し、その収容した図書のサイズ情報を該当するコンテナのサイズ情報とすることにより、図書毎にサイズ情報の登録を行なうことを要しなくなり、新規図書の入庫作業の能率を向上させるようにした構成が開示されている。
【特許文献１】特開平７−８２９１５号公報
【特許文献２】特開平１１−３１０３０８号公報
【特許文献３】特開２００４−７５２６７号公報
【発明の開示】
【発明が解決しようとする課題】
【００１９】
以上に述べたように、特許文献１及び３では、サイズ別フリーロケーション方式に限定した図書の保管管理システムが述べられている。また、特許文献２では、フリーロケーション方式と固定ロケーション方式とを有効に併用して、物品の保管管理を行なうことには言及していない。
【００２０】
すなわち、例えば、通常図書はコンテナとフリーに保管し、タイトルに同一性のある図書はコンテナを固定し、特定図書や貸し出し管理の異なる例えば予約図書等は通常図書と混載しないようにコンテナを区分して保管し、また、取り出し後の返却に際しては、取り出し時と同じ区分のコンテナに収容する限定的運用を採用しながら、大部分を占める通常図書の取り出し及び返却に要する作業の能率を低下させることのない図書保管管理装置が要求されることになる。
【００２１】
そこで、この発明は上記事情を考慮してなされたもので、通常図書についてフリーロケーション方式による保管管理を主として採用する中で、それ以外の特殊な図書に対してもそれらに適した保管管理を適宜選択することができる閉架書庫管理を可能とした図書保管管理装置を提供することを目的とする。
【課題を解決するための手段】
【００２２】
この発明に係る図書保管管理装置は、複数の棚領域を有する書庫と；書庫の各棚領域に格納されるもので、それぞれが複数の図書を収容する複数のコンテナと；コンテナを識別する識別情報と、コンテナの書庫内における収容位置を示す情報と、コンテナを図書の管理形態に応じた複数のグループに分類するグループ識別情報と、コンテナに収容された図書を識別する識別情報とを対応させて記憶する記憶手段と；入庫する図書のグループ識別情報を指定することにより、そのグループ識別情報の付されたコンテナの中で空きスペースのあるコンテナを書庫から取り出してステーションに移送するとともに、その図書が入庫されたコンテナに対する記憶手段の記憶内容を更新する制御手段とを備えるようにしたものである。
【発明の効果】
【００２３】
上記した構成によれば、入庫する図書のグループ識別情報を指定することにより、そのグループ識別情報の付されたコンテナの中で空きスペースのあるコンテナを書庫から取り出してステーションに移送し、図書を入庫するようにしたので、通常図書についてフリーロケーション方式による保管管理を主として採用する中で、それ以外の特殊な図書に対してもそれらに適した保管管理を適宜選択することが可能となる。これにより、収容する図書の大部分を占める通常図書の取り出し及び返却に要する作業の能率を低下させずに、管理形態の異なる図書を混在させることのない図書保管管理装置を得ることができる。
【発明を実施するための最良の形態】
【００２４】
以下、この発明の実施の形態について図面を参照して詳細に説明する。図１は、この実施の形態で説明する図書保管管理システムの全体的な構成を示している。この図書保管管理システムでは、通常図書についてサイズ別フリーロケーション方式による保管管理を主として採用する中で、それ以外の固定図書、特定図書及び予約図書等の特殊図書については、それらに適した保管管理を適宜採用することができる。
【００２５】
すなわち、図１において、符号１１は書棚群で、例えば図書館の地階の書庫内に設置されている。この書棚群１１は、互いに一定間隔をあけて対向するように設置された複数対（図示の場合は３対）の書棚（１１ａ，１１ｂ）、（１１ｃ，１１ｄ）、（１１ｅ，１１ｆ）から構成されている。
【００２６】
これら各書棚１１ａ〜１１ｆは複数の領域に区分され、それらの領域には、通常図書、固定図書、特定図書及び予約図書のグループに分類した複数の図書（図１では図示せず）が収容された複数のコンテナ１２，１２，……が収容されるようになっている。
【００２７】
ここで、上記書棚１１ａ，１１ｂ相互間には、スタッカークレーン１３が設置されている。このスタッカークレーン１３は、書棚１１ａ，１１ｂ相互間に形成された空間内を移動し、いずれかの書棚１１ａまたは１１ｂから所望のコンテナ１２を取り出して出庫用ラックステーション１４に移送する。
【００２８】
この出庫用ラックステーション１４に移送されたコンテナ１２は、搬送コンベア１５を介してコンテナ搬出口１６に移送された後、垂直搬送機４９を介して、１階向コンテナ搬入口１７または２階向コンテナ搬入口１８まで搬送される。
【００２９】
このうち、１階向コンテナ搬入口１７に移送されたコンテナ１２は、搬送コンベア１９を介して利用者カウンターである１階ステーション２０のコンテナ受入部２０ａに搬送される。また、２階向コンテナ搬入口１８に移送されたコンテナ１２は、搬送コンベア２１を介して利用者カウンターである２階ステーション２２のコンテナ受入部２２ａに搬送される。
【００３０】
一方、１階ステーション２０のコンテナ受入部２０ａに搬送されたコンテナ１２は、コンテナ排出部２０ｂに移送され、搬送コンベア２３を介して１階向コンテナ搬出口２４に搬送される。また、２階ステーション２２のコンテナ受入部２２ａに搬送されたコンテナ１２は、コンテナ排出部２２ｂに移送され、搬送コンベア２５を介して２階向コンテナ搬出口２６に搬送される。
【００３１】
そして、１階向コンテナ搬出口２４または２階向コンテナ搬出口２６に搬送されたコンテナ１２は、上記垂直搬送機４９により地階のコンテナ搬入口２７に移送され、搬送コンベア２８を介して入庫用ラックステーション２９に移送された後、スタッカークレーン１３により書棚１１ａまたは１１ｂに入庫される。
【００３２】
なお、他の書棚１１ｃ，１１ｄ相互間及び書棚１１ｅ，１１ｆ相互間にも、それぞれスタッカークレーン（図示せず）が設置されている。そして、上記と略同様の動作により、各書棚１１ｃ〜１１ｆと１階または２階ステーション２０，２２との間で、コンテナ１２を搬送することができる。
【００３３】
また、上記搬送コンベア１５，１９，２１の経路途中には、搬送されるコンテナ１２を１８０°回転させて向きを変えるための、回転機構部３０，３１ａ，３１ｂがそれぞれ設置されている。
【００３４】
ここで、図２（ａ）は、上記コンテナ１２の詳細な構成を示している。すなわち、このコンテナ１２は、その内部が略直交する仕切り板１２ａ，１２ｂによって、４つのブロックＡ，Ｂ，Ｃ，Ｄに分割されている。
【００３５】
そして、各ブロックＡ，Ｂ，Ｃ，Ｄ内には、図２（ｂ）に示すように、それぞれ複数の図書３２，３２，……が厚み方向に１列に並んで収容されるようになっている。つまり、コンテナ１２内には、ブロックＡ，Ｂに収容された図書３２，３２，……の列と、ブロックＣ，Ｄに収容された図書３２，３２，……の列とが、２列に並んで収容されることになる。
【００３６】
この場合、コンテナ１２内で２列に並んだ各図書３２，３２，……同士は、互いにその背表紙３２ａを外側に向けるようにして収容されている。なお、各コンテナ１２には、その側面にそれぞれコンテナ識別のためのバーコードラベル１２ｃが付されている。また、各図書３２，３２，……にも、それぞれ識別のためのバーコードラベル（図示せず）が付されている。
【００３７】
一方、図３は、上記１階ステーション２０の詳細な構成を示している。なお、２階ステーション２２については、１階ステーション２０と同様な構成であるため、その説明を省略する。
【００３８】
すなわち、この１階ステーション２０には、カウンター台３３が設置されている。このカウンター台３３の裏側には、前記コンテナ受入部２０ａとコンテナ排出部２０ｂとが配置されている。そして、搬送コンベア１９を介して１階ステーション２０に搬送されてきたコンテナ１２は、コンテナ受入部２０ａで受け入れられた後、コンテナ排出部２０ｂに移送されて保持される。
【００３９】
また、上記カウンター台３３には、コンテナ排出部２０ｂに対応する部分に開口部３３ａが形成されている。そして、図書館員は、この開口部３３ａを介することにより、コンテナ排出部２０ｂに保持されたコンテナ１２に対して、図書３２の取り出しや返却を行なうことができる。
【００４０】
この場合、カウンター台３３の開口部３３ａからは、コンテナ１２内に厚み方向に２列になって収容されている図書３２，３２，……のうち、一方側の列の図書３２，３２，……がそれらの背表紙３２ａを含めて、外部に露出されることになる。そして、このコンテナ排出部２０ｂに保持されたコンテナ１２は、搬送コンベア２３を介して１階向コンテナ搬出口２４に搬送される。
【００４１】
さらに、上記カウンター台３３上には、図書館員が図書３２，３２，……の入出庫に関する種々の操作を行なうとともに、コンテナ排出部２０ｂに保持されたコンテナ１２の中から、取り出すべき図書３２の図書名や図書番号等を表示するための、入力タッチパネル式の操作表示ユニット３４と、図書３２に付されたバーコードを読み取るためのバーコードリーダ３５とが配設されている。
【００４２】
また、図４は、１階ステーション２０におけるカウンター台３３の裏側の構造を示している。すなわち、前記搬送コンベア１９を介して１階ステーション２０に搬送されてきたコンテナ１２は、１階ステーション２０内のステーション搬送機２０ｃを介してコンテナ受入部２０ａに移送される。
【００４３】
そして、コンテナ受入部２０ａに移送されたコンテナ１２は、ステーション搬送機２０ｄを介してコンテナ排出部２０ｂに移送され、図書３２の取り出しや返却に供される。この場合、コンテナ１２に付されたバーコードラベル１２ｃがコンテナ排出部２０ｂに設置されたバーコードリーダ３６によって読み取られる。
【００４４】
また、コンテナ排出部２０ｂで図書３２の取り出しや返却の終了したコンテナ１２は、１階ステーション２０内のステーション搬送機２０ｅを介して、１階ステーション２０外部の搬送コンベア２３に移送され、書棚群１１の所定の収容位置に入庫される。
【００４５】
ここで、このステーション搬送機２０ｅには、図書高さ検出器３７が設置されている。この図書高さ検出器３７は、ステーション搬送機２９ｅによって搬送されるコンテナ１２に収容された図書３２の高さが、所定の高さを越えているか否かを判別するものである。そして、所定の高さを越えていると判断された場合、コンテナ１２は、コンテナ排出部２０ｂに戻され、その判別結果が操作表示ユニット３４に表示される。
【００４６】
また、上記搬送コンベア２３の経路途中には、搬送コンベア２３によって搬送されるコンテナ１２内における図書３２の充填率を検出するための図書充填率検出器３８が設置されている。この図書充填率検出器３８は、通過するコンテナ１２内の図書３２の在席部分または不在席部分を検知することにより、そのコンテナ１２内における図書３２の充填率を算出することができる。
【００４７】
ここで、この実施の形態で説明する図書保管管理システムは、３種類のサイズのコンテナ１２を備えている。そして、通常図書、固定図書、特定図書及び予約図書のグループ毎に、それぞれ多種多様なサイズの図書３２を、全て、この３種類のサイズのコンテナ１２に分類して収容するようにしている。この場合、書棚群１１は、各グループ毎に、３種類のサイズのコンテナ１２をそれぞれ収容するための３種類の棚領域に分割されている。
【００４８】
図５は、上記のような図書保管管理システムの制御システムを示している。すなわち、図書館システムサーバ（ＬＳＳ）４０は、書棚群１１に保管されている閉架保管区分の図書３２だけでなく、図示しない開架保管区分の図書をも含めた図書館の全ての図書３２を統括管理するものである。
【００４９】
この図書館システムサーバ４０は、主要な管理として、全図書３２の開架，閉架保管区分の管理、通常図書，固定図書，特定図書及び予約図書等のグループ別管理、新規図書３２の図書コード登録処理等の業務管理を行なっている。
【００５０】
また、この図書館システムサーバ４０は、図示しないが、開架図書３２の貸し出し返却処理を行なう利用者カウンター端末、開架／閉架図書３２を対象とした図書検索端末、閉架図書３２の貸し出し要求端末等が接続されて、閉架図書３２の貸し出し要求情報を書庫システムサーバ（ＢＳＳ）４１に伝送している。
【００５１】
なお、図書館システムサーバ４０の内部記憶装置には、図書館内の全図書３２の図書マスタが記憶され、新規購入図書３２の発注／納品／登録、全蔵書の貸し出し予約、貸し出し／返却情報を管理している。
【００５２】
そして、上記書庫システムサーバ４１は、図書館システムサーバ４０とＬＡＮ（local area network）回線で接続され、開架書庫内の図書３２の所在位置管理、貸し出し、返却処理の管理を行なっている。貸し出し要求は、図書館システムサーバ４０から供給され、貸し出しの作業が終了すると、図書館システムサーバ４０に図書貸し出し実績報告を行なっている。また、返却図書３２が書庫に戻されると、図書館システムサーバ４０に図書返却実績報告を行なっている。
【００５３】
また、書庫システムサーバ４１の内部記憶装置には、書庫に保管された全図書３２の図書コード、書誌データ、各図書３２のグループ分類及び保管位置等に関するデータが記憶されている。これらのデータは、図示しない複数の障害対策用ハードディスク、マスタバックアップ管理用ＤＡＴ、無停電電源装置により保護されている。
【００５４】
さらに、書庫システムサーバ４１は、書庫内の図書３２を取り出し、返却する場所である１階及び２階ステーション２０，２２にそれぞれ設けられたステーション端末機（ＳＴＵ）４２と、書庫内のスタッカークレーン１３や各種の搬送機器をコントロールする統括制御盤４３とに、ＬＡＮ回線で接続されている。
【００５５】
このうち、１階ステーション２０に設置されたステーション端末機４２は、１階ステーション２０において、前記操作表示ユニット３４及びバーコードリーダ３５，３６をそれぞれ制御している。
【００５６】
また、２階ステーション２２に設置されたステーション端末機４２は、２階ステーション２２において、１階ステーション２０と同様の図示しない操作表示ユニット及びバーコードリーダをそれぞれ制御している。
【００５７】
ここで、操作表示ユニット３４は、入庫処理及び出庫処理の選択設定、コンテナ１２の種別、図書３２のグループ分け情報や内容等を表示し、返却図書３２のサイズ情報を設定する入力タッチパネル式の画面を備えている。
【００５８】
バーコードリーダ３５は、図書３２に付されたバーコードラベルを読み取り、その図書３２の図書コードを読み取る。バーコードリーダ３６は、コンテナ１２に付されたバーコードラベル１２ｃを読み取り、そのコンテナ１２のコンテナ番号を得る。
【００５９】
また、上記統括制御盤４３は、ステーション搬送機制御盤４４、入出庫搬送機制御盤４５、垂直搬送機制御盤４６及びスタッカークレーン地上盤４７等をそれぞれ統括的に制御している。
【００６０】
このうち、ステーション搬送機制御盤４４は、１階ステーション２０において、ステーション搬送機２０ｃ，２０ｄ，２０ｅ及び図書高さ検出器３７をそれぞれ制御している。また、このステーション搬送機制御盤４４は、２階ステーション２２において、１階ステーション２０と同様の図示しないステーション搬送機及び図書高さ検出器をそれぞれ制御している。
【００６１】
さらに、上記入出庫搬送機制御盤４５は、入出庫搬送機４８（前記搬送コンベア１５，１９，２１，２３，２５，２８及び回転機構部３０，３１ａ，３１ｂに相当）、図書充填率検出器３８等をそれぞれ制御している。また、上記垂直搬送機制御盤４６は、前述した垂直搬送機４９を制御し、スタッカークレーン地上盤４７は、スタッカークレーン制御盤５０を介して書庫内におけるスタッカークレーン１３を制御している。
【００６２】
ここで、書庫システムサーバ４１には、図書館システムサーバ４０から、書庫に入庫する図書３２毎に登録図書情報が供給される。この登録図書情報は、図６に示すように、図書コード、書誌データ及びグループ指定コードで構成されている。このグループ指定コードは、図書３２毎の管理区分け（グループ分類）を示す情報である。具体的には、図７に示すように、固定図書を‘１０’、予約図書を‘９０’、その他の図書を‘００’として指定している。
【００６３】
そして、書庫システムサーバ４１は、図書館システムサーバ４０から供給された登録図書情報に基づいて、基本管理データファイルである４つのマスタを構成し、内部記憶装置に記憶している。これら４つのマスタは、図８（ａ）〜（ｄ）にそれぞれ示すように、図書マスタ、予約図書マスタ、コンテナマスタ及びロケーションマスタである。
【００６４】
まず、各マスタ内のデータ（棚領域区分コード、コンテナ種別コード、図書サイズ識別コード及びグループ識別コード）について説明する。すなわち、前述したように、書庫内の書棚群１１は、保管する図書３２のサイズに応じて３種類のサイズの棚領域に分割されている。
【００６５】
棚領域のサイズとは、３種類のサイズ別に分類されたコンテナ１２をそれぞれ収容するために、書棚１１ａ〜１１ｆが備える空間領域の大きさのことである。すなわち、分類した３種類の図書３２のサイズに対応した奥行き、幅、高さ等の寸法から決められる。
【００６６】
棚領域のサイズは、ロケーションマスタの棚領域区分コードで示されており、コンテナ１２が、主として、Ａ４，Ｂ５，Ａ５の３種類の図書３２のサイズに対応して分類されているとすると、図９に示すように、棚領域区分コードは、“ＴＬＬ”，“ＴＭＭ”，“ＴＳＳ”の３種類となる。この棚領域区分コードの数や種類は、システムの計画時にロケーション毎に規定され、通常は図書保管管理システムが稼動した後に変更されることはない。
【００６７】
また、コンテナ種別コードは、通常、“ＣＬＬ”，“ＣＭＭ”，“ＣＳＳ”の３種類となり、それぞれ、Ａ４，Ｂ５，Ａ５のサイズの図書３２を収容することができる３種類のコンテナ１２のサイズを示している。
【００６８】
さらに、図書サイズ識別コードは、通常、“ＢＡ４”，“ＢＢ５”，“ＢＡ５”の３種類としており、これらに対応して収容するコンテナ識別コードが、それぞれ、“ＣＬＬ”，“ＣＭＭ”，“ＣＳＳ”の３種類となっている。
【００６９】
図９は、上記棚領域区分コード、コンテナ種別コード及び図書サイズ識別コードの対応関係をまとめた設定テーブルを示している。この設定テーブルでは、棚領域、コンテナサイズ及び図書サイズを、それぞれ３種類に分類している。
【００７０】
そして、Ａ４サイズに準じるサイズの図書３２を収容したＬサイズのコンテナ１２が棚領域ＬＬに保管され、Ｂ５サイズに準じるサイズの図書３２を収容したＭサイズのコンテナ１２が棚領域ＭＭに保管され、Ａ５サイズに準じるサイズの図書３２を収容したＳサイズのコンテナ１２が棚領域ＳＳに保管される。
【００７１】
また、上記グループ識別コードは、コンテナ１２毎の管理区分け（グループ分類）を示す情報である。具体的には、図７に示すように、固定図書を‘１０’、ＶＴＲのテープカセットを‘２０’、ＣＤを‘３０’、予約図書を‘９０’、通常図書を‘００’として識別している。さらに、別途の管理が生じたときは、新たなグループ識別コードを採用することができる。
【００７２】
次に、上記図書マスタは、図書を新規に購入して、または、保管区分を開架区分から書庫区分にする変更処理に伴ない、図書館システムサーバ４０から伝送される図書コード、書誌データ（書名、著者名、出版社等からなる）を登録図書情報として記憶している。そして、コンテナ１２が書庫に保管されると、その収容したコンテナ番号が保管コンテナ番号として対応付けられて図書マスタが完成する。この時点で、登録図書情報から、その図書３２の情報は消去される。
【００７３】
なお、図書マスタの履歴コンテナ番号は、図書３２がコンテナ１２から取り出された際に、保管コンテナ番号の記憶内容を移行して記憶される領域であり、取り出された図書３２がどのコンテナ１２から取り出されたかを知ることができる。
【００７４】
図書マスタは、図書館システムサーバ４０からの書誌データ書き替え情報による変更があったとしても、保管区分を書庫外とする、または、廃棄する等の事情に基づく削除情報があって、その図書３２がコンテナ１２から取り出されるまで、その図書マスタは記憶される。
【００７５】
また、ある図書３２のグループ識別コード、コンテナ種別コード、図書サイズ識別コードは、コンテナ番号を検索キーとしてコンテナマスタにリンクすることによって認識することが可能である。このため、新規登録処理後でも、返却時に収容するコンテナ番号を変えれば、グループ識別コード、コンテナ種別コード、図書サイズ識別コードを変更することも可能であるが、グループ識別コードの変更は、基本的には禁止される。
【００７６】
上記予約図書マスタは、登録図書情報にある図書３２が書庫に保管され、その情報が登録図書情報から消去される時点で、予約図書として指示された図書３２のマスタとされ、保管しているコンテナ１２のコンテナ番号が対応付けられて記憶される。予約図書は、このコンテナ１２から他のコンテナ１２に移行することなく取り出されるので、履歴コンテナ番号を記憶する必要はない。
【００７７】
予約図書の管理で、書庫に収容することの意味は、貸し出し図書を集約させるという意味であり、入庫に際し、登録図書情報で予約図書と指定された図書３２であって、閉架図書も含まれる。要するに、恒常的に書庫に保管される図書３２とは別個に取り扱うことにより、情報の混乱を避ける効果がある。
【００７８】
また、上記コンテナマスタは、コンテナ番号毎に構成され、保管区分（グループ）を表わすグループ識別コード、コンテナ１２のサイズを表わすコンテナ種別コード、収容図書３２のサイズを表わす図書サイズ識別コード、コンテナ１２の図書充填率、コンテナ１２に収容されている全図書３２の図書コードで構成される。
【００７９】
コンテナ番号は、全てのコンテナ１２に対して一連番号として付けられる固有の番号であり、バーコード標記され前記バーコードラベル１２ｃとしてコンテナ１２の本体側面に貼り付けられる。このコンテナ番号が、コンテナ排出部２０ｂに設置されたバーコードリーダ３６によって読み取られることにより、書庫から取り出されたコンテナ１２の到着を検知することができる。
【００８０】
さらに、ロケーションマスタは、書庫内の書棚１１ａ〜１１ｆの場所を数値符号で示すロケーション（通常、書庫内の一番手前の場所を０１列０１連０１段と表現し、最奥の場所は書棚１１ａ〜１１ｆの規模に応じて付される）、そのロケーションが付された書庫内書棚１１ａ〜１１ｆの棚領域区分コード（領域の大きさ区分）、そこに保管されているコンテナ１２のコンテナ番号、それに連係されたコンテナ種別コードで構成される。
【００８１】
ロケーションマスタでロケーションを検索すると、そこに格納されているコンテナ１２のコンテナ番号と、そのコンテナ１２の種別とがわかり、コンテナ種類毎の入庫ロケーション割り付けに効果的である。
【００８２】
上記のような構成となされた図書保管管理システムにおいて、以下、その動作について詳細に説明する。まず、図１０は、図書館システムサーバ４０が作成した登録図書情報を書庫システムサーバ４１で図書マスタに記憶させる処理動作をまとめたフローチャートを示している。
【００８３】
まず、処理が開始（ステップＳ１０ａ）されると、図書館システムサーバ４０は、ステップＳ１０ｂで、新たに書庫に保管する図書３２毎に、図書コード、書誌データ及び保管区分を指定するグループ指定コードからなる登録図書情報の作成処理を実行する。
【００８４】
そして、図書館システムサーバ４０は、ステップＳ１０ｃで、保管する図書３２が固定図書であるか否かを判別し、固定図書であると判断された場合（ＹＥＳ）、ステップＳ１０ｄで、グループ指定コードを‘１０’に設定する。
【００８５】
その後、図書館システムサーバ４０は、ステップＳ１０ｅで、その図書３２を、その図書３２と同一シリーズの既に登録されている図書３２に追加するか否かを判別し、追加すると判断された場合（ＹＥＳ）、ステップＳ１０ｆで、保管履歴のある図書３２の図書コード及び書名をメモして、図書３２に添付する。この添付処理としてはいろいろな方法が考えられ、例えば、既に保管されている図書３２の情報を登録図書情報にデータとして添えることや、新聞や雑誌等の場合は、その図書コードを一覧表として書庫に保持しておくようにすることも可能である。
【００８６】
また、上記ステップＳ１０ｅで追加しないと判断された場合（ＮＯ）、図書館システムサーバ４０は、ステップＳ１０ｇで、その図書３２に、新シリーズであることのメモを添付する。
【００８７】
一方、上記ステップＳ１０ｃで、保管する図書３２が固定図書でないと判断された場合（ＮＯ）、図書館システムサーバ４０は、ステップＳ１０ｈで、保管する図書３２が予約図書であるか否かを判別し、予約図書であると判断された場合（ＹＥＳ）、ステップＳ１０ｉで、グループ指定コードを‘９０’に設定し、予約図書でないと判断された場合（ＮＯ）、ステップＳ１０ｊで、グループ指定コードを‘００’に設定する。
【００８８】
そして、上記ステップＳ１０ｆ，Ｓ１０ｇ，Ｓ１０ｉまたはＳ１０ｊの後、図書館システムサーバ４０は、ステップＳ１０ｋで、作成した登録図書情報を、随時、書庫システムサーバ４１に伝送する。これにより、書庫システムサーバ４１が、ステップＳ１０ｌで、登録図書情報を図書マスタに記憶し、処理が終了（ステップＳ１０ｍ）される。
【００８９】
次に、図１１（ａ），（ｂ）は、通常図書の入庫動作、つまり、通常入庫処理をまとめたフローチャートを示している。なお、初めて書庫に保管する図書３２は、ステーション２０または２２に送付され、保管形態指示を基にした登録入庫作業が行なわれる。また、入庫する図書３２は、保管形態別、サイズ別に仕分けされて、それらの量を図書サイズ毎に測定されている。
【００９０】
まず、処理が開始（ステップＳ１１ａ）されると、ステーション端末機４２は、操作表示ユニット３４に、図１６（ａ）に示すような処理選択画面を表示させる。そして、図書館員が、ステップＳ１１ｂで、処理選択画面上で「通常入庫」の項目をタッチすると、図１６（ｂ）に示すような通常入庫／予約入庫設定画面が表示される。
【００９１】
この通常入庫／予約入庫設定画面では、「通常入庫」の項目が選択されていることをハッチングによって示している。この通常入庫／予約入庫設定画面で「予約入庫」の項目をタッチすることにより、後述する予約図書の入庫処理も可能となる。図１６（ｂ）に示す通常入庫／予約入庫設定画面では、通常入庫→予約入庫→通常入庫の順に設定が切り替えられた状態を示している。
【００９２】
そして、図書館員は、ステップＳ１１ｃで、通常入庫／予約入庫設定画面上で図書サイズと図書の量とをそれぞれ設定し、「要求」の項目をタッチする。図１６（ｂ）に示す通常入庫／予約入庫設定画面では、「通常入庫」で、図書サイズが「Ａ４」で、図書の量が「３０ｃｍ」とした、Ｎｏ．３の設定状態を示している。
【００９３】
なお、通常入庫／予約入庫設定画面の図書の量にある「キー入力」の項目は、選択項目にない詳細な数値入力を行なう場合に使用するもので、タッチすると、例えば図１７（ａ）に示すようなテンキーが通常入庫／予約入庫設定画面上に表示される。そして、このテンキーを、例えば、「１」、「２」、「０」、「Ｅ（enter）」とタッチすることにより、図書の量を１２０ｃｍに設定することができ、これに伴なって、画面窓枠内にあるＮｏ．１の設定状態のように、コンテナ数が２と表示される。
【００９４】
なお、Ｎｏ．３の設定状態を例にすると、コンテナ数は、以下の制御の結果として決定され表示される。すなわち、ステーション端末機４２は、通常入庫であるためグループ識別コード‘００’、図書サイズ「Ａ４」、図書の量「３０ｃｍ」とした入庫設定情報を、書庫システムサーバ４１に送信する。
【００９５】
すると、書庫システムサーバ４１では、図９に示した設定テーブルから、図書サイズ識別コード“ＢＡ４”に対応するコンテナ種別コード“ＣＬＬ”が決定される。そして、書庫システムサーバ４１は、コンテナマスタの該当するコンテナ種別コード及びグループ識別コードを有するコンテナ１２の中から、入庫設定情報の図書の量「３０ｃｍ」と充填率（空きスペース量）とを照合してコンテナ１２の選択を行なう。
【００９６】
最も大きい空きスペースが３０ｃｍ（コンテナ１２の長さが６０ｃｍの場合は、充填率＝０．５に相当する）より小さいコンテナ１２のみが存在するときは、最も空きスペースの大きいコンテナ１２と、そのコンテナ１２に収容した後の残りの図書の量が最も見合う空きスペースのコンテナ１２とが選択される。
【００９７】
また、３０ｃｍよりも大きい空きスペースがあるときは、その中で３０ｃｍに近い空きスペースのコンテナ１２を選択する。この例では、３０ｃｍ以上の空きスペースのあるコンテナ１２が存在したため、または、空のコンテナ１２を選択したので、コンテナ数が１となっている。
【００９８】
書庫システムサーバ４１は、決定されたコンテナ番号とコンテナ種別コードとグループ識別コードと図書サイズ識別コードとをステーション端末機４２に送信し、ステーション端末機４２は、これらの各データを入庫コンテナ情報として記憶し、コンテナ数を表示させる。
【００９９】
空コンテナでない空きスペースコンテナの選択は、予約図書入庫時はグループ識別コード‘９０’のコンテナ１２の中から行ない、固定図書入庫時はグループ識別コード‘１０’のコンテナ１２の中から行ない、ＶＴＲのテープカセット入庫時はグループ識別コード‘２０’のコンテナ１２の中から行ない、ＣＤ入庫時はグループ識別コード‘３０’のコンテナ１２の中から行ない、空コンテナ１２を選択するときはグループ識別コード‘００’のコンテナ１２の中から行なうことになる。
【０１００】
以上のようにしてコンテナ数が表示されると、図書館員は、通常入庫／予約入庫設定画面上で「完了」の項目をタッチする。すると、ステップＳ１１ｄで、グループ識別コード‘００’のコンテナ１２の中から、既に決定されているコンテナ番号のコンテナ１２がステーション２０または２２に搬送される。また、操作表示ユニット３４の表示画面が、図１８（ａ）に示すような通常入庫処理画面に切り替わる。
【０１０１】
この場合、書庫システムサーバ４１は、ロケーションマスタにて、そのコンテナ番号のコンテナ１２を格納しているロケーションを検索し、統括制御盤４３に送信する。これにより、以下、スタッカークレーン地上盤４７を経由してスタッカークレーン制御盤５０、垂直搬送機制御盤４６、入出庫搬送機制御盤４５、ステーション搬送機制御盤４４にて各種の搬送機器を制御し、該当ロケーションの書庫に保管されているコンテナ１２をステーション２０または２２まで搬送する。
【０１０２】
ロケーションマスタの、このコンテナ１２が保管されていたロケーションのコンテナ番号、コンテナ種別コードを消去する。
【０１０３】
書庫から出庫したコンテナ１２がステーション２０または２２に到着すると、ステーション端末機４２はバーコードリーダ３６でコンテナ番号を読み取り、入庫コンテナ情報の中のコンテナ番号と照合することにより、どの設定により出庫されたコンテナ１２であるかを特定する。その結果、ステーション２０または２２に保持されたコンテナ１２が、図１６（ｂ）に示した通常入庫／予約入庫設定画面のＮｏ．３の設定により選択されたコンテナであり、図１８（ａ）に示す通常入庫処理画面は、その設定内容を反映したものとなる。
【０１０４】
ステップＳ１１ｄの後、図書館員は、ステップＳ１１ｅで、バーコードリーダ３５により入庫する図書３２の図書コードを読み取る。すると、図１８（ａ）に示す通常入庫処理画面に、読み取った図書コードが表示される。
【０１０５】
その後、ステップＳ１１ｆで、その図書コードが既に図書マスタにある図書コードであるか否かが判別され、図書マスタにある図書コードでないと判断された場合（ＮＯ）、ステップＳ１１ｇで、読み込んだ図書コードが登録図書情報にあって、かつ、そのグループ指定コードが‘００’であるか否かを判別する。
【０１０６】
このステップＳ１１ｇで、読み込んだ図書コードが登録図書情報にあって、かつ、そのグループ指定コードが‘００’であると判断された場合（ＹＥＳ）、または、上記ステップＳ１１ｆで、図書コードが既に図書マスタにあると判断された場合（ＹＥＳ）、ステップＳ１１ｈで、登録図書情報の書誌データまたは既にある図書マスタの書誌データが、図１８（ａ）に示す通常入庫処理画面上に表示させる。
【０１０７】
なお、読み込んだ図書コードが登録図書情報にあって、かつ、そのグループ指定コードが‘００’である場合には、通常入庫処理画面上に「新登録図書です」のメッセージが表示される。読み込んだ図書コードが既に図書マスタにある場合には、「新登録図書です」のメッセージは表示されない。
【０１０８】
ステーション端末機４２は、図書コードと、そのコンテナ１２に係わる入庫コンテナ情報（コンテナ番号、コンテナ種別コード、グループ識別コード、図書サイズ識別コード）とを、書庫システムサーバ４１に送信する。
【０１０９】
書庫システムサーバ４１は、コンテナマスタの該当コンテナ番号の記憶エリアに図書コードを記憶する。また、登録図書情報の図書コード及び書誌データから図書マスタを作成し、コンテナ番号をその‘保管コンテナ番号’に記憶する。
【０１１０】
その後、図書館員は、ステップＳ１１ｉで、図書３２をコンテナ１２に収納し、ステップＳ１１ｊで、そのコンテナ１２への図書３２の収納が全て完了したか否かを判別し、完了していないと判断された場合（ＮＯ）、ステップＳ１１ｅの処理に戻される。
【０１１１】
また、上記ステップＳ１１ｊで、コンテナ１２への図書３２の収納が全て完了したと判断された場合（ＹＥＳ）、図書館員は、図１８（ａ）に示す通常入庫処理画面上で「コンテナ返却」の項目をタッチする。すると、ステップＳ１１ｋで、コンテナ１２が書庫に入庫され、処理が終了（ステップＳ１１ｌ）される。
【０１１２】
なお、上記ステップＳ１１ｇで、読み込んだ図書コードが登録図書情報にあって、かつ、そのグループ指定コードが‘００’でないと判断された場合（ＮＯ）には、ステップＳ１１ｍで、その図書３２をコンテナ１２に収納することを禁止する旨のメッセージが表示されて、ステップＳ１１ｊの処理に移行される。
【０１１３】
ステップＳ１１ｋにおける入庫処理は、ステーション端末機４２から、入庫コンテナ情報の付された入庫指令が、書庫システムサーバ４１に伝送されることにより実行される。書庫システムサーバ４１では、図９に示した設定テーブルから、コンテナ種別コードに対応する棚領域区分コードが決定され、ロケーションマスタにて該当棚領域でコンテナが格納されていないロケーションが決定される。決定されたロケーションに入庫コンテナ情報のコンテナ番号及びコンテナ種別コードが記憶される。
【０１１４】
そして、書庫システムサーバ４１は、ステーション２０または２２のコンテナ１２を、書庫のそのロケーションに格納する命令を統括制御盤４３に伝送する。これにより、スタッカークレーン制御盤５０、垂直搬送機制御盤４６、入出庫搬送機制御盤４５、ステーション搬送機制御盤４４にて各種の搬送機器が制御され、コンテナ１２が書庫の該当ロケーションに格納される。
【０１１５】
また、入庫用の搬送経路上にある図書充填率検出器３８により、コンテナ１２内の図書の量（空きスペース）を検出し、充填率に変換して、コンテナマスタの充填率を更新する。例えば、充填率５０％のコンテナ１２を引き当て、３０ｃｍ（５０％に相当する）の量の図書３２を入庫したとすると、充填率は５０→１００に書き替えられる。
【０１１６】
その後、書庫システムサーバ４１は、書庫へのコンテナ１２の格納完了を待って、そのコンテナ１２に収容された図書コードの登録格納完了を一括して図書館システムサーバ４０に報告する。
【０１１７】
次に、図１２（ａ），（ｂ）は、予約図書の入庫動作、つまり、予約入庫処理をまとめたフローチャートを示している。まず、処理が開始（ステップＳ１２ａ）されると、ステーション端末機４２は、操作表示ユニット３４に、図１６（ａ）に示すような処理選択画面を表示させる。そして、図書館員が、ステップＳ１２ｂで、処理選択画面上で「予約入庫」の項目をタッチすると、図１６（ｂ）に示すような通常入庫／予約入庫設定画面が表示される。
【０１１８】
そして、図書館員は、ステップＳ１２ｃで、通常入庫／予約入庫設定画面上で図書サイズと図書の量とをそれぞれ設定し、「要求」の項目をタッチする。通常入庫／予約入庫設定画面上でコンテナ数が表示されると、図書館員は、「完了」の項目をタッチする。すると、ステップＳ１２ｄで、グループ識別コード‘９０’のコンテナ１２の中から設定した図書の量に見合う空きスペースのあるコンテナ１２、または、グループ識別コード‘００’の空コンテナ１２が検索され、ステーション２０または２２に搬送される。また、操作表示ユニット３４の表示画面が、図１８（ｂ）に示すような予約入庫処理画面に切り替わる。
【０１１９】
その後、図書館員は、ステップＳ１２ｅで、バーコードリーダ３５により入庫する図書３２の図書コードを読み取る。すると、図１８（ｂ）に示す予約入庫処理画面に、読み取った図書コードが表示される。
【０１２０】
その後、ステップＳ１２ｆで、その図書コードが登録図書情報にあって、かつ、そのグループ指定コードが‘９０’であるか否かが判別される。そして、読み込んだ図書コードが登録図書情報にあって、かつ、そのグループ指定コードが‘９０’であると判断された場合（ＹＥＳ）、ステップＳ１２ｇで、登録図書情報の書誌データが、図１８（ｂ）に示す予約入庫処理画面上に表示される。また、予約入庫処理画面上に「予約図書です」のメッセージが表示される。
【０１２１】
書庫システムサーバ４１は、登録図書情報の図書コード及び書誌データから予約図書マスタを作成する。予約図書は、開架図書の場合もあるので、書庫の図書マスタとは別個のマスタとしている。
【０１２２】
その後、図書館員は、ステップＳ１２ｈで、予約図書とされた図書３２をコンテナ１２に収納し、ステップＳ１２ｉで、空コンテナ１２に収納したか否かを判別する。この判別は、図書コードが読み取られ、図書コード及び書誌データが画面表示されたとき、この図書３２が空のコンテナ１２であったかを判断する。当該のコンテナマスタのグループ識別コードが‘００’であることから判断される。また、この場合は、図書コードが全くないことになっている。
【０１２３】
ステップＳ１２ｉで、空コンテナ１２に収納したと判断された場合（ＹＥＳ）、ステップＳ１２ｊで、コンテナマスタのグループ識別コードを‘９０’とする。そして、ステップＳ１２ｊの後、または、上記ステップＳ１２ｉで、空コンテナ１２に収納しないと判断された場合（ＮＯ）、ステップＳ１２ｋで、コンテナ１２への図書３２の収納が全て完了したか否かを判別し、完了していないと判断された場合（ＮＯ）、ステップＳ１２ｅの処理に戻される。
【０１２４】
また、上記ステップＳ１２ｋで、コンテナ１２への図書３２の収納が全て完了したと判断された場合（ＹＥＳ）、図書館員は、図１８（ｂ）に示す予約入庫処理画面上で「コンテナ返却」の項目をタッチする。すると、ステップＳ１２ｌで、コンテナ１２が書庫に入庫され、処理が終了（ステップＳ１２ｍ）される。この場合も、入庫用の搬送経路上にある図書充填率検出器３８により、コンテナ１２内の充填率が検出されて、コンテナマスタの充填率が更新される。
【０１２５】
なお、上記ステップＳ１２ｆで、読み込んだ図書コードが登録図書情報にあって、かつ、そのグループ指定コードが‘９０’でないと判断された場合（ＮＯ）には、ステップＳ１２ｎで、その図書３２をコンテナ１２に収納することを禁止する旨のメッセージが表示されて、ステップＳ１２ｋの処理に移行される。
【０１２６】
予約図書は、コンテナ種別を最大のコンテナとする手法もある。そうすることにより、入出庫効率が向上する利点がある。予約図書の総量はそれほど多くないため、保管効率の劣化は少なく抑えられる。
【０１２７】
予約図書に関しては、それまでの管理形態が一時的に解除され、各管理形態で管理されていた図書３２が集約されてコンテナ１２に収容されることになる。
【０１２８】
次に、図１３（ａ），（ｂ）は、固定新規図書及び固定追加図書の登録入庫動作をまとめたフローチャートを示している。まず、固定新規図書の登録入庫について説明する。処理が開始（ステップＳ１３ａ）されると、ステーション端末機４２は、操作表示ユニット３４に、図１６（ａ）に示すような処理選択画面を表示させる。
【０１２９】
そして、図書館員は、ステップＳ１３ｂで、処理選択画面上で「固定入庫」の項目をタッチし、図１６（ｃ）に示すような新規固定入庫設定画面を表示させ、その新規固定入庫設定画面上で「新規」の項目をタッチする。
【０１３０】
そして、図書館員は、ステップＳ１３ｃで、新規固定入庫設定画面上で図書サイズと図書の量とをそれぞれ設定し、「要求」の項目をタッチする。シリーズが異なる毎に、サイズ及び図書の量の入力を繰り返すことにより、複数のシリーズ向けの設定が可能となる。
【０１３１】
図１６（ｃ）に示す新規固定入庫設定画面は、「新規」で、図書サイズが「Ａ４」で、図書の量が「３０ｃｍ」としたＮｏ．２の設定状態で、「要求」の項目をタッチした例を示している。この場合、図書の量は、このシリーズの未収容分まで想定したスペースを確保する判断をして設定してスペースの予約をする。なお、固定図書グループのコンテナ１２に対しては、充填率検出は行なわれない。
【０１３２】
その後、図書館員は、新規固定入庫設定画面の「完了」の項目をタッチする。すると、ステップＳ１３ｄで、コンテナマスタのグループ識別コードが‘１０’であるコンテナの中から設定した図書の量に見合う空きスペースのあるコンテナ１２、または、グループ識別コード‘００’の空コンテナ１２が検索され、ステーション２０または２２に搬送される。また、操作表示ユニット３４の表示画面が、図１８（ｃ）に示すような新規固定入庫画面に切り替わる。
【０１３３】
その後、図書館員は、ステップＳ１３ｅで、バーコードリーダ３５により入庫する図書３２の図書コードを読み取る。すると、図１８（ｃ）に示す新規固定入庫画面に、読み取った図書コードが表示される。
【０１３４】
その後、ステップＳ１３ｆで、その図書コードが登録図書情報にあって、かつ、そのグループ指定コードが‘１０’であるか否かが判別される。そして、読み込んだ図書コードが登録図書情報にあって、かつ、そのグループ指定コードが‘１０’であると判断された場合（ＹＥＳ）、ステップＳ１３ｇで、登録図書情報の書誌データが、図１８（ｃ）に示す新規固定入庫画面上に表示される。また、新規固定入庫画面上に「新登録図書です」のメッセージが表示される。書庫システムサーバ４１は、登録図書情報の図書コード及び書誌データから図書マスタを作成する。
【０１３５】
そして、図書館員は、ステップＳ１３ｈで、新規登録図書とされた図書３２をコンテナ１２に収納し、ステップＳ１３ｉで、空コンテナ１２に収納したか否かを判別する。この判別は、図書コードが読み取られ、図書コード及び書誌データが画面表示されたとき、この図書３２が空のコンテナ１２であったかを判断する。当該のコンテナマスタのグループ識別コードが‘００’であることから判断される。また、この場合は、図書コードが全くないことになっている。
【０１３６】
ステップＳ１３ｉで、空コンテナ１２に収納したと判断された場合（ＹＥＳ）、ステップＳ１３ｊで、コンテナマスタのグループ識別コードを‘１０’とする。そして、ステップＳ１３ｊの後、または、上記ステップＳ１３ｉで、空コンテナ１２に収納しないと判断された場合（ＮＯ）、ステップＳ１３ｋで、コンテナ１２への図書３２の収納が全て完了したか否かを判別し、完了していないと判断された場合（ＮＯ）、ステップＳ１３ｅの処理に戻される。
【０１３７】
また、上記ステップＳ１３ｋで、コンテナ１２への図書３２の収納が全て完了したと判断された場合（ＹＥＳ）、図書館員は、ステップＳ１３ｌで、図書の量を拡張するか否か、つまり、収容したシリーズ図書の占有スペースを設定し直すか否かを判断する。全冊収容したとき、ステップＳ１３ｃで入力した図書の量（新規固定入庫設定画面では設定した値として「３０ｃｍ」の項目がハッチングされている）に代えて、新規固定入庫画面の下部で図書の量の再設定ができる。
【０１３８】
そして、ステップＳ１３ｌで、図書の量を拡張すると判断された場合（ＹＥＳ）、図書館員は、ステップＳ１３ｍで、図１８（ｃ）に示す新規固定入庫画面で図書の量の再設定を行なう。このとき、コンテナ１２内に他のシリーズ図書が既に存在するときは、そのシリーズで設定したスペースの残りスペースのみが許可される。
【０１３９】
このステップＳ１３ｍの後、または、上記ステップＳ１３ｌで、図書の量を拡張しないと判断された場合（ＮＯ）、図書館員が、ステップＳ１３ｎで、図１８（ｃ）に示す新規固定入庫画面上で「コンテナ返却」の項目をタッチすることにより、コンテナ１２が書庫に入庫されて、処理が終了（ステップＳ１３ｏ）される。この場合、図書充填率の検出は行なわれない。
【０１４０】
なお、上記ステップＳ１３ｆで、読み込んだ図書コードが登録図書情報にあって、かつ、そのグループ指定コードが‘１０’でないと判断された場合（ＮＯ）には、ステップＳ１３ｐで、その図書３２をコンテナ１２に収納することを禁止する旨のメッセージが表示されて、ステップＳ１３ｋの処理に移行される。
【０１４１】
次に、固定追加図書の登録入庫について説明する。処理が開始（ステップＳ１３ｑ）されると、ステーション端末機４２は、操作表示ユニット３４に、図１６（ａ）に示すような処理選択画面を表示させる。
【０１４２】
そして、図書館員は、ステップＳ１３ｒで、処理選択画面上で「固定入庫」の項目をタッチし、図１６（ｃ）に示すような新規固定入庫設定画面を表示させ、その新規固定入庫設定画面上で「追加」の項目をタッチする。すると、図１７（ａ）に示すような追加固定入庫画面が表示される。
【０１４３】
そして、図書館員は、ステップＳ１３ｓで、図書３２に追加されているメモにある図書コードを追加固定入庫画面のテンキーにて入力し、「要求」の項目をタッチする。この図書コードは既に図書マスタにあるので、書誌データを検索し、追加固定入庫画面の窓内に表示される。他に異なるシリーズ図書が存在する場合には、他の図書コードを入力する。
【０１４４】
その後、図書館員は、追加固定入庫画面の「完了」の項目をタッチする。すると、ステップＳ１３ｔで、入力した図書コードからコンテナ１２が検索され、ステーション２０または２２に搬送される。また、操作表示ユニット３４の表示画面が、図１９（ａ）に示すような追加固定入庫処理画面に切り替わる。この追加固定入庫処理画面において、先に入力した図書コード及び書誌データが表示され、このコンテナ１２に収容すべき図書３２を確認する。
【０１４５】
その後、図書館員が、ステップＳ１３ｅで、バーコードリーダ３５により入庫する図書３２の図書コードを読み取ると、ステップＳ１３ｆで、その図書コードが登録図書情報にあって、かつ、そのグループ指定コードが‘１０’であるか否かが判別される。
【０１４６】
そして、読み込んだ図書コードが登録図書情報にあって、かつ、そのグループ指定コードが‘１０’であると判断された場合（ＹＥＳ）、ステップＳ１３ｇで、登録図書情報の書誌データが、図１９（ａ）に示す追加固定入庫処理画面上に表示される。また、追加固定入庫処理画面上に「新登録図書です」のメッセージが表示される。書庫システムサーバ４１は、登録図書情報の図書コード及び書誌データから図書マスタを作成する。以後の処理動作は、固定新規図書の登録入庫と同様である。
【０１４７】
次に、図１４は、固定図書の入庫（返却）動作、つまり、固定入庫処理をまとめたフローチャートを示している。まず、処理が開始（ステップＳ１４ａ）されると、ステーション端末機４２は、操作表示ユニット３４に、図１６（ａ）に示すような処理選択画面を表示させる。
【０１４８】
そして、図書館員は、ステップＳ１４ｂで、処理選択画面上で「固定入庫」の項目をタッチし、図１６（ｃ）に示すような新規固定入庫設定画面を表示させ、その新規固定入庫設定画面上で「入庫」の項目をタッチする。すると、図１７（ｂ）に示すような固定入庫設定画面が表示される。
【０１４９】
そして、図書館員は、ステップＳ１４ｃで、バーコードリーダ３５により返却図書の図書コードを読み取り、固定入庫設定画面上で「要求」の項目をタッチする。すると、図書マスタが検索されて書誌データが表示される。明らかに同一シリーズの図書以外の図書の図書コードを続けて読み取ることにより、複数のシリーズの入庫設定ができる。
【０１５０】
その後、図書館員は、固定入庫設定画面の「完了」の項目をタッチする。すると、ステップＳ１４ｄで、図書マスタの履歴コンテナ番号にあるコンテナ１２が検索され、ステーション２０または２２に搬送される。また、操作表示ユニット３４の表示画面が、図１９（ｂ）に示すような固定入庫処理画面に切り替わる。この固定入庫処理画面において、先に入力した図書コード及び書誌データが表示され、このコンテナ１２に収容すべき図書３２を確認する。
【０１５１】
そして、図書館員は、ステップＳ１４ｅで、バーコードリーダ３５により入庫する図書３２の図書コードを読み取る。
【０１５２】
その後、ステップＳ１４ｆで、読み取った図書コードの属する図書マスタの履歴コンテナ番号と、出庫されたコンテナ１２のコンテナ番号とが一致するか否かが判別される。そして、一致すると判断された場合（ＹＥＳ）、ステップＳ１４ｇで、図書マスタの書誌データが、図１９（ｂ）に示す固定入庫処理画面上に表示される。固定入庫処理画面上の図書コードは、一旦消えた後に再び表示される。なお、固定入庫処理画面上に「新登録図書です」のメッセージは表示されない。
【０１５３】
そして、図書館員は、ステップＳ１４ｈで、書誌データの表示された図書３２をコンテナ１２に収納し、ステップＳ１４ｉで、コンテナ１２への図書３２の収納が全て完了したか否かを判別し、完了していないと判断された場合（ＮＯ）、ステップＳ１４ｅの処理に戻される。
【０１５４】
また、上記ステップＳ１４ｉで、コンテナ１２への図書３２の収納が全て完了したと判断された場合（ＹＥＳ）、図書館員は、ステップＳ１４ｊで、図書の量を拡張するか否か、つまり、収容したシリーズ図書の占有スペースを設定し直すか否かを判断する。
【０１５５】
そして、ステップＳ１４ｊで、図書の量を拡張すると判断された場合（ＹＥＳ）、図書館員は、ステップＳ１４ｋで、図１９（ｂ）に示す固定入庫処理画面で図書の量の再設定を行なう。
【０１５６】
このステップＳ１４ｋの後、または、上記ステップＳ１４ｊで、図書の量を拡張しないと判断された場合（ＮＯ）、図書館員が、ステップＳ１４ｌで、図１９（ｂ）に示す固定入庫処理画面上で「コンテナ返却」の項目をタッチすることにより、コンテナ１２が書庫に入庫されて、処理が終了（ステップＳ１４ｍ）される。
【０１５７】
なお、上記ステップＳ１４ｆで、一致しないと判断された場合（ＮＯ）には、ステップＳ１４ｎで、その図書３２をコンテナ１２に収納することを禁止する旨のメッセージが表示されて、ステップＳ１４ｉの処理に移行される。
【０１５８】
次に、図１５（ａ），（ｂ）は、形状が規格化された特定図書の入庫動作、つまり、特定入庫処理をまとめたフローチャートを示している。まず、処理が開始（ステップＳ１５ａ）されると、ステーション端末機４２は、操作表示ユニット３４に、図１６（ａ）に示すような処理選択画面を表示させる。
【０１５９】
そして、図書館員は、ステップＳ１５ｂで、処理選択画面上で「特定入庫」の項目をタッチし、図１７（ｃ）に示すような特定入庫設定画面を表示させ、ステップＳ１５ｃで、その特定入庫設定画面上で「ＶＴＲ」または「ＣＤ」の項目をタッチする。図１７（ｃ）では「ＣＤ」の項目が選択された状態をハッチングで示している。
【０１６０】
また、図書館員は、特定入庫設定画面上で図書サイズと図書の量とをそれぞれ設定し、「要求」の項目をタッチする。なお、この特定入庫設定画面で、最初にＶＴＲ入庫を設定した後、ＣＤ入庫の設定に変更することができる。図１７（ｃ）では、ＶＴＲ入庫→ＣＤ入庫と順に設定されたことを示している。
【０１６１】
なお、図書サイズは、ＣＤ入庫ではＡ５、ＶＴＲ入庫ではＢ５と固定しても良いし、別途にサイズ指定しても良い。
【０１６２】
その後、図書館員は、特定入庫設定画面の「完了」の項目をタッチする。すると、ステップＳ１５ｄで、ＶＴＲを入庫するときは、コンテナマスタのグループ識別コードが‘２０’であるコンテナの中から設定した図書の量に見合う空きスペースのあるコンテナ１２、または、グループ識別コード‘００’の空コンテナ１２が検索され、ＣＤを入庫するときは、コンテナマスタのグループ識別コードが‘３０’であるコンテナの中から設定した図書の量に見合う空きスペースのあるコンテナ１２、または、グループ識別コード‘００’の空コンテナ１２が検索されて、ステーション２０または２２に搬送される。また、操作表示ユニット３４の表示画面が、図１９（ｃ）に示すような特定入庫処理画面に切り替わる。
【０１６３】
その後、図書館員は、ステップＳ１５ｅで、バーコードリーダ３５により入庫する図書３２の図書コードを読み取る。すると、図１９（ｃ）に示す特定入庫処理画面に、読み取った図書コードが表示される。
【０１６４】
その後、ステップＳ１５ｆで、その図書コードが既に図書マスタにある図書コードであるか否かが判別され、図書マスタにある図書コードでないと判断された場合（ＮＯ）、ステップＳ１５ｇで、読み込んだ図書コードが登録図書情報にあって、かつ、そのグループ指定コードが‘００’であるか否かを判別する。
【０１６５】
このステップＳ１５ｇで、読み込んだ図書コードが登録図書情報にあって、かつ、そのグループ指定コードが‘００’であると判断された場合（ＹＥＳ）、または、上記ステップＳ１５ｆで、図書コードが既に図書マスタにあると判断された場合（ＹＥＳ）、ステップＳ１５ｈで、登録図書情報の書誌データが、図１９（ｃ）に示す特定入庫処理画面上に表示される。
【０１６６】
なお、読み込んだ図書コードが登録図書情報にあって、かつ、そのグループ指定コードが‘００’である場合には、特定入庫処理画面上に「新登録図書です」のメッセージが表示される。既に登録されている図書は返却入庫であるので、「新登録図書です」のメッセージは表示されない。書庫システムサーバ４１は、登録図書情報の図書コード及び書誌データから図書マスタを作成する。
【０１６７】
そして、図書館員は、ステップＳ１５ｉで、新登録図書とされた図書３２をコンテナ１２に収納し、ステップＳ１５ｊで、空コンテナ１２に収納したか否かを判別する。この判別は、図書コードが読み取られ、図書コード及び書誌データが画面表示されたとき、この図書３２が空のコンテナ１２であったかを判断する。当該のコンテナマスタのグループ識別コードが‘００’であることから判断される。また、この場合は、図書コードが全くないことになっている。
【０１６８】
ステップＳ１５ｊで、空コンテナ１２に収納したと判断された場合（ＹＥＳ）、ステップＳ１５ｋで、コンテナマスタのグループ識別コードを‘２０’または‘３０’とする。そして、ステップＳ１５ｋの後、または、上記ステップＳ１５ｊで、空コンテナ１２に収納しないと判断された場合（ＮＯ）、ステップＳ１５ｌで、コンテナ１２への図書３２の収納が全て完了したか否かを判別し、完了していないと判断された場合（ＮＯ）、ステップＳ１５ｅの処理に戻される。
【０１６９】
また、上記ステップＳ１５ｌで、コンテナ１２への図書３２の収納が全て完了したと判断された場合（ＹＥＳ）、図書館員は、図１９（ｃ）に示す特定入庫処理画面上で「コンテナ返却」の項目をタッチする。すると、ステップＳ１５ｍで、コンテナ１２が書庫に入庫され、処理が終了（ステップＳ１５ｎ）される。この場合も、入庫用の搬送経路上にある図書充填率検出器３８により、コンテナ１２内の充填率が検出されて、コンテナマスタの充填率が更新される。
【０１７０】
なお、上記ステップＳ１５ｇで、読み込んだ図書コードが登録図書情報にあって、かつ、そのグループ指定コードが‘００’でないと判断された場合（ＮＯ）には、ステップＳ１５ｏで、その図書３２をコンテナ１２に収納することを禁止する旨のメッセージが表示されて、ステップＳ１５ｌの処理に移行される。
【０１７１】
上記した実施の形態によれば、通常図書についてサイズ別フリーロケーション方式による保管管理を主として採用する中で、それ以外の固定図書、予約図書、特定図書等に対してもそれらに適した保管管理を適宜選択することができるようになる。
【０１７２】
具体的には、コンテナ１２を複数の用途にグループ分けし、書庫システムサーバ４１のコンテナマスタファイルにグループ識別コードを付加する。空のコンテナ１２は、予め共通するグループ識別コード（実施の形態ではフリーロケーション用コンテナコードの‘００’としている）を付け、空きコンテナの検索はこのグループのコンテナを選択する。
【０１７３】
空のコンテナ１２に図書３２を収容したとき、そのコンテナ１２に付されたグループ識別コードと、収容した図書３２のグループ名とが異なるときは、その図書３２の属するグループに対応したグループ識別コードを付ける。なお、空コンテナには、グループ識別コードの一切を付けないようにしておいても良い。
【０１７４】
固定扱いの図書３２で始めて書庫に収容する図書は、図書館システムサーバ４１から伝送される図書コード及び書誌データを含む登録図書情報に、固定入庫図書の意味を符号化されて付加される。既に入庫されている図書と同じコンテナに収容すべき図書は、既に入庫されている図書の図書コードを書いたメモ付きで書庫に渡される。
【０１７５】
返却は、図書コードをバーコードリーダ３５で読み取ることにより、以前収納していたコンテナが出庫される。特定図書は、実際にはＣＤ、ＶＴＲ類であり、目視での判断基準が明らかであるから、使用者の選択操作による。予約図書は、全図書に、登録図書情報に予約図書の意味を符号化されて付加される。既に書庫に保管された履歴の有無は判断しない。
【０１７６】
図書入庫に際し、ステーション２０または２２でのグループ選択操作でグループ名を指示することにより、対応するグループ名のコンテナを選択する制御を行ない、ステーション２０または２２にコンテナ１２を出庫する。空のコンテナ１２の場合には、最初の図書登録がされたとき、その図書の属するグループ識別コードが付けられる。
【０１７７】
入庫する図書の図書コードを読み取ってコンテナに収容することにより、これらの図書コードは、コンテナ番号毎にコンテナマスタに記憶される。図書をグループ違いのコンテナに収容するとアラームを発生させる。コンテナから最後の図書が取り出されたとき、そのコンテナのグループ識別コードは、空のコンテナに付けられると定められたグループ識別コードに変えられる。
【０１７８】
図書マスタには、現在保管されているコンテナのコンテナ番号と、その前に保管されていたコンテナのコンテナ番号とがあるが、グループ識別コードはない。ある図書の属するグループは、コンテナマスタにアクセスして知り得る。サイズ別保管とするときは、コンテナ種別コード、図書サイズ識別コードの両方を持つ。
【０１７９】
固定ロケーション及び特定図書フリーロケーションの両グループから、通常図書フリーロケーショングループへの移行は、図書館システムサーバ４０の業務とする。通常図書フリーロケーショングループから他のグループへの移行は、書庫システムサーバ４１の業務とする。すなわち、入庫作業者の判断でできる。
【０１８０】
固定図書を収容したコンテナ１２は、設定した図書の量にて収容スペースを予約すると、この値を記憶し、計測充填率は適用しない。コンテナ収容時にも、保管している図書の量を量って再設定ができる。
【０１８１】
図書を入庫するコンテナは、図書の属するグループ識別コードを指定するとともに、入庫する図書の量を入力して選択する。
【０１８２】
コンテナに対するグループ識別コードの設定は、グループ識別コードを指定して出庫されたコンテナが空コンテナの場合、最初に収容される図書の図書コードが入力された時点でなされる。グループ識別コードの解除は、取り出した図書コードの入力で、コンテナが空になった時点でなされる。空になると‘００’とする。
【０１８３】
固定入庫操作時、コンテナの空きスペース予約処理ができる。実際の充填率は検出値を使用しない。空きスペースが使われないようにする処理で、これが行なわれていないと、出庫したとき空きが発生したとみなされ別の図書が入庫されることがあるため、このようなことを排除している。
【０１８４】
フリーロケーショングループから他のグループへの移行は書庫システムサーバ４１の業務として実行できる。逆に、固定図書のフリーロケーショングループへの移行は禁止するようにしてもよい。
【０１８５】
また、上記した実施の形態では、ステーションにおいて、管理形態に応じた複数のグループ分けを行なうことにより、その入出庫処理を同一のステーションで行なうことを可能としているが、図書館には、他のグループとは入出庫処理を隔絶して行なう必要のあるグループの図書、例えば、貴重な図書や資料（以下、貴重図書という）も所蔵されている。
【０１８６】
これらの貴重図書のうち、最重要図書は展示室でのみ展示されるとしても、館内に限って貸し出しされる貴重図書もあり、この種の貴重図書の収納場所として書棚を使用することが考えられる。
【０１８７】
この場合、図書コードとコンテナ番号とを固定化することに加えて、防塵、防湿対策を施した特殊なコンテナを使用することもあり、グループ識別コードとコンテナ番号と書棚のロケーションとを固定化し、さらに、他のグループとの入出庫処理を隔絶するために、処理選択を特定のグループのみに特化したステーションを設けて入出庫処理を実施することができる。
【０１８８】
さらに、複数の棚領域を図書の寸法別に分類された複数の棚領域とすることもできる。固定新規入庫、特定図書でも、サイズ指定を可能にする。なお、特定図書がＶＴＲやＣＤのようにサイズ規格されたものでは、サイズ指定は不要とできる。予約図書は、サイズ区分しないで、全てＡ４のコンテナに収容するようにしても良い。
【０１８９】
次に、この発明の他の実施の形態について説明する。上記した実施の形態では、各図書を識別するための情報をバーコードラベルに記載して図書に付加することについて説明したが、近年では、ＩＣタグ（ＲＦＩＤ）の普及により、図書識別情報をバーコードラベルに代えてＩＣタグに格納させて各図書に付加することが考えられている。
【０１９０】
ところで、図書識別情報の記録媒体をバーコードラベルからＩＣタグに変更することを考えた場合、当然のことながら、図書館内に所蔵されている膨大な数の図書を一挙にＩＣタグに変更するわけにはいかないため、順次変更していくことになる。すなわち、バーコードラベルとＩＣタグとが併用される期間が発生することになる。
【０１９１】
このため、このバーコードラベルとＩＣタグとの併用期間において、図書館の運用が通常業務に支障なく行なえるように工夫を施すことが肝要なこととなる。そして、その結果として、バーコードラベルからＩＣタグへの変更が円滑に促進されていくようにすることが望ましいものである。
【０１９２】
そこで、以下に説明する実施の形態では、既にバーコードラベルが付加されている各図書に、それぞれ、その図書の識別情報を格納したＩＣタグを順次付加していくことを考える。
【０１９３】
そして、図書館システムサーバ４０は、図書が書庫に入庫される毎に、図２０に示すように、その図書の識別情報を記録した媒体の種類、つまり、その図書がバーコードラベルで管理される図書かＩＣタグで管理される図書かを識別するための図書管理識別コードを含めた登録図書情報を作成する。この図書管理識別コードは、図２１に示すように、バーコードラベルで管理される図書を‘００’、ＩＣタグで管理される図書を‘１０’として指定している。
【０１９４】
また、書庫システムサーバ４１は、図書館システムサーバ４０から供給された登録図書情報（図書管理識別コードを含む）に基づいて、コンテナマスタにも、図２２に示すように、図書管理識別コードを付加する。
【０１９５】
これにより、コンテナ１２が、バーコードラベルで管理される図書を収容するものと、ＩＣタグで管理される図書を収容するものとに分類される。つまり、図書が書庫に入庫される毎に、バーコードラベルで管理される図書とＩＣタグで管理される図書とが、それぞれ異なるコンテナ１２に分類されて収納されるようになる。
【０１９６】
さらに、各ステーション２０，２２には、図書に付加されたＩＣタグから図書管理識別コードを読み取るために、ステーション端末機４２に接続されたＩＣタグリーダが設けられている。
【０１９７】
図２３及び図２４は、バーコードラベルで管理される図書とＩＣタグで管理される図書とが混在している期間における、通常図書の入庫動作、つまり、通常入庫処理をまとめたフローチャートを示している。
【０１９８】
まず、処理が開始（ステップＳ２３ａ）されると、ステーション端末機４２は、操作表示ユニット３４に、図２５（ａ）に示すような処理選択画面を表示させる。そして、図書館員が、ステップＳ２３ｂで、処理選択画面上で「通常入庫」の項目をタッチすると、図２５（ｂ）に示すような通常入庫／予約入庫設定画面が表示される。
【０１９９】
この通常入庫／予約入庫設定画面では、図書のサイズと図書の量とを設定する項目の他に、その図書がバーコードラベルによる管理かＩＣタグによる管理かを示す図書の管理形態を設定する項目が表示されている。そして、図書館員は、ステップＳ２３ｃで、通常入庫／予約入庫設定画面上で図書サイズと図書の量と図書の管理形態とをそれぞれ設定し、「要求」の項目をタッチする。
【０２００】
図２５（ｂ）に示す通常入庫／予約入庫設定画面では、「通常入庫」で、図書サイズが「Ａ４」で、図書の量が「３０ｃｍ」で、図書管理形態が「ＩＣタグ」とした、Ｎｏ．３の設定状態を示している。この設定状態では、図書サイズ「Ａ４」の項目、図書の量「３０ｃｍ」の項目、図書管理形態「ＩＣタグ」の項目が、それぞれハッチングで示すように、他の項目と異なる形態で表示されている。
【０２０１】
そして、このＮｏ．３の設定状態では、通常入庫／予約入庫設定画面の窓枠内に示すように、コンテナ数が１と表示される。このようにしてコンテナ数が表示されると、図書館員は、通常入庫／予約入庫設定画面上で「完了」の項目をタッチする。すると、ステップＳ２３ｄで、グループ識別コードが‘００’（通常図書）で図書管理識別コードが‘１０’（ＩＣタグ）のコンテナ１２の中から、空きスペースに基づいて既に決定されているコンテナ１２が、ステーション２０または２２に搬送される。
【０２０２】
その後、図書館員は、ステップＳ２３ｅで、ICタグリーダにより入庫する図書３２の図書コードを読み取る。このとき、ステップＳ２３ｆで、ＩＣタグリーダによるＩＣタグからの図書コードの読み取りが行なえたか否かを判別する。
【０２０３】
そして、ＩＣタグリーダにより図書コードの読み取りが行なえたと判断された場合（ＹＥＳ）、ステップＳ２３ｇで、その図書コードが既に図書マスタにある図書コードであるか否かが判別され、図書マスタにある図書コードでないと判断された場合（ＮＯ）、ステップＳ２３ｈで、読み込んだ図書コードが登録図書情報にあって、かつ、そのグループ指定コードが‘００’であるか否かが判別される。
【０２０４】
このステップＳ２３ｈで、読み込んだ図書コードが登録図書情報にあって、かつ、そのグループ指定コードが‘００’であると判断された場合（ＹＥＳ）、または、上記ステップＳ２３ｇで、図書コードが既に図書マスタにあると判断された場合（ＹＥＳ）、ステップＳ２４ａで、登録図書情報の書誌データまたは既にある図書マスタの書誌データが、図１８（ａ）に示した通常入庫処理画面上に表示される。
【０２０５】
その後、図書館員は、ステップＳ２４ｂで、図書３２をコンテナ１２に収納し、ステップＳ２４ｃで、その図書３２がＩＣタグリーダで図書コードの読み取られた図書であるか否かを判別する。そして、ＩＣタグリーダで図書コードの読み取られた図書でないと判断された場合（ＮＯ）には、ステップＳ２４ｄで、その図書３２をコンテナ１２に収納することを禁止する旨のメッセージが表示される。この場合は、図書３２のコンテナ１２への収納を取りやめる。
【０２０６】
このステップＳ２４ｄの後、または、上記ステップＳ２４ｃでＩＣタグリーダで図書コードの読み取られた図書であると判断された場合（ＹＥＳ）、図書館員は、ステップＳ２４ｅで、そのコンテナ１２への図書３２の収納が全て完了したか否かを判別し、完了していないと判断された場合（ＮＯ）、ステップＳ２３ｅの処理に戻される。
【０２０７】
また、上記ステップＳ２４ｅで、コンテナ１２への図書３２の収納が全て完了したと判断された場合（ＹＥＳ）、図書館員は、図１８（ａ）に示した通常入庫処理画面上で「コンテナ返却」の項目をタッチする。すると、ステップＳ２４ｆで、コンテナ１２が書庫に入庫され（このときコンテナマスタの充填率が更新）、処理が終了（ステップＳ２４ｇ）される。
【０２０８】
図２３及び図２４に示した図書の入庫動作が行なわれることにより、図書が書庫に入庫される毎に、バーコードラベルで管理される図書とＩＣタグで管理される図書とが、それぞれ異なるコンテナ１２に分類されて収納されるようになる。これにより、図書館の運用を通常業務に支障なく行なうことができるとともに、バーコードラベルからＩＣタグへの移行が円滑に促進されていくようになる。
【０２０９】
なお、各ステーション２０，２２においては、図書３２の入庫時及び出庫時のいずれの場合であっても、入庫対象及び出庫対象となる図書３２が、バーコードラベルで管理される図書であるかＩＣタグで管理される図書であるかを図書館員に表示して認識させる機能を有することができる。
【０２１０】
また、各ステーション２０，２２においては、図書３２の入庫時に、コンテナ１２にそのコンテナ１２に付された図書管理識別コードと異なる図書管理識別コードの付された図書３２を収容しようとした場合、図書コードの読み取り時と、コンテナ１２に図書３２を収容したことを検知する機能を設けることによりコンテナ１２への図書３２の収容時との２回、図書館員に収容することができない旨の通知を行なう機能を有することができる。
【０２１１】
さらに、例えば１階ステーション２０をバーコードラベルで管理される図書３２の入出庫専用とし、２階ステーション２２をＩＣタグで管理される図書３２の入出庫専用とするような運用も可能となる。
【０２１２】
なお、この実施の形態で説明したＩＣタグとバーコードラベル以外の分類として、バーコードラベルの桁数の違いでの分類、ＯＣＲを利用するキャラクタコードラベルでの分類等があり、これら媒体の組み合わせは２種類の分類に限定されるものではなく、２種類以上の分類であっても良い。
【０２１３】
以上、通常入庫処理について説明したが、他の入庫処理についても図書管理識別コードによる管理は同様に行なわれるものである。
【０２１４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【０２１５】
【図１】この発明の実施の形態を示すもので、図書保管管理システムの全体的な構成を説明するために示す斜視図。
【図２】同実施の形態におけるコンテナの詳細な構成とコンテナに図書を収容した状態とを説明するために示す斜視図。
【図３】同実施の形態における利用者カウンターである１階ステーションを表側から見た状態を説明するために示す斜視図。
【図４】同実施の形態における利用者カウンターである１階ステーションの裏側の構成を説明するために示す平面図。
【図５】同実施の形態における図書保管管理システムの制御システムを説明するために示すブロック構成図。
【図６】同実施の形態における図書館システムサーバから書庫システムサーバに供給される登録図書情報を説明するために示す図。
【図７】同実施の形態におけるグループ指定コードとグループ識別コードとの関係を説明するために示す図。
【図８】同実施の形態における書庫システムサーバに記憶された図書マスタ、予約図書マスタ、コンテナマスタ及びロケーションマスタを説明するために示す図。
【図９】同実施の形態における棚領域区分コード、コンテナ種別コード及び図書サイズ識別コードの関係を説明するために示す図。
【図１０】同実施の形態における登録図書情報を図書マスタに記憶させる処理動作を説明するために示すフローチャート。
【図１１】同実施の形態における通常図書の入庫処理動作を説明するために示すフローチャート。
【図１２】同実施の形態における予約図書の入庫処理動作を説明するために示すフローチャート。
【図１３】同実施の形態における固定新規図書及び固定追加図書の登録入庫処理動作を説明するために示すフローチャート。
【図１４】同実施の形態における固定図書の入庫処理動作を説明するために示すフローチャート。
【図１５】同実施の形態における特定図書の入庫処理動作を説明するために示すフローチャート。
【図１６】同実施の形態における各種の処理動作で表示される画面の一例を説明するために示す図。
【図１７】同実施の形態における各種の処理動作で表示される画面の他の例を説明するために示す図。
【図１８】同実施の形態における各種の処理動作で表示される画面のさらに他の例を説明するために示す図。
【図１９】同実施の形態における各種の処理動作で表示される画面のさらに他の例を説明するために示す図。
【図２０】この発明の他の実施の形態を示すもので、図書館システムサーバから書庫システムサーバに供給される登録図書情報を説明するために示す図。
【図２１】同他の実施の形態における図書管理形態と図書管理識別コードとの関係を説明するために示す図。
【図２２】同他の実施の形態における書庫システムサーバに記憶されたコンテナマスタを説明するために示す図。
【図２３】同他の実施の形態における通常図書の入庫処理動作の一部を説明するために示すフローチャート。
【図２４】同他の実施の形態における通常図書の入庫処理動作の残部を説明するために示すフローチャート。
【図２５】同他の実施の形態における通常入庫処理動作で表示される画面の一例を説明するために示す図。
【符号の説明】
【０２１６】
１１…書棚群、１２…コンテナ、１３…スタッカークレーン、１４…出庫用ラックステーション、１５…搬送コンベア、１６…コンテナ搬出口、１７…１階向コンテナ搬入口、１８…２階向コンテナ搬入口、１９…搬送コンベア、２０…１階ステーション、２１…搬送コンベア、２２…２階ステーション、２３…搬送コンベア、２４…１階向コンテナ搬出口、２５…搬送コンベア、２６…２階向コンテナ搬出口、２７…コンテナ搬入口、２８…搬送コンベア、２９…入庫用ラックステーション、３０…回転機構部、３１ａ，３１ｂ…回転機構部、３２…図書、３３…カウンター台、３４…操作表示ユニット、３５…バーコードリーダ、３６…バーコードリーダ、３７…図書高さ検出器、３８…図書充填率検出器、４０…図書館システムサーバ、４１…書庫システムサーバ、４２…ステーション端末機、４３…統括制御盤、４４…ステーション搬送機制御盤、４５…入出庫搬送機制御盤、４６…垂直搬送機制御盤、４７…スタッカークレーン地上盤、４８…入出庫搬送機、４９…垂直搬送機、５０…スタッカークレーン制御盤。
【図１】
2006290622.tif 000003
【図２】
2006290622.tif 000004
【図３】
2006290622.tif 000005
【図４】
2006290622.tif 000006
【図５】
2006290622.tif 000007
【図６】
2006290622.tif 000008
【図７】
2006290622.tif 000009
【図８】
2006290622.tif 000010
【図９】
2006290622.tif 000011
【図１０】
2006290622.tif 000012
【図１１】
2006290622.tif 000013
【図１２】
2006290622.tif 000014
【図１３】
2006290622.tif 000015
【図１４】
2006290622.tif 000016
【図１５】
2006290622.tif 000017
【図１６】
2006290622.tif 000018
【図１７】
2006290622.tif 000019
【図１８】
2006290622.tif 000020
【図１９】
2006290622.tif 000021
【図２０】
2006290622.tif 000022
【図２１】
2006290622.tif 000023
【図２２】
2006290622.tif 000024
【図２３】
2006290622.tif 000025
【図２４】
2006290622.tif 000026
【図２５】
2006290622.tif 000027